【事件の表示】
　平成　９年特許願第２３１８０３号「皮膚老化防止化粧料」拒絶査定不服審判事件〔平成１１年　３月　２日出願公開、特開平１１−　６０４３４〕について、次のとおり審決する。
【結　論】
　本件審判の請求は、成り立たない。
【理　由】
１．手続の経緯
　本願は、平成９年８月１２日の出願であって、平成１６年１月９日付けで拒絶査定がされ、これに対し、平成１６年２月１９日に拒絶査定に対する不服審判請求がなされたものである。
　
２．本願発明
　本願の請求項１に係る発明（以下、「本願発明」という。）は、明細書の記載からみて、特許請求の範囲の請求項１に記載された事項により特定される、以下のとおりのものである。
　
「   ジイソプロピルアミンジクロロアセテート、γ−アミノ酪酸及びその塩、γ−アミノ−β−ヒドロキシ酪酸及びその塩、ニコチン酸アミド、Ｎ−メチル−Ｌ−セリン及びその塩の群から選ばれる少なくとも一種並びに、
一般式（１）
（構造式略）（１）　
(但し、ｎは６〜３２で示される。）で表されるイソ型脂肪酸のコレステロールエステル及び／又は一般式（２）
（構造式略）（２）　
(但し、ｎは６〜３２で示される。）で表されるアンテイソ型脂肪酸のコレステロールエステルの少なくとも一種とを含有することを特徴とする皮膚老化防止化粧料。」
　
３．引用例の記載事項
　
［１］特開平６−２５６１５８号公報（以下、「刊行物１」という。）
　
［1-1］「γ−アミノ−β−ヒドロキシ酪酸及びその塩の少なくとも一種と、セラミド、グルコシルセラミド及びガラクトシルセラミドの少なくとも一種とを含有することを特徴とする皮膚老化防止化粧料。」（特許請求の範囲）
　
［1-2］「老化乾燥とは、乾燥して滑らかさのない荒れ肌で、角質細胞剥離現象が認められる皮膚である。・・・このような観点から末梢血管拡張作用を有するγ−アミノ−β−ヒドロキシ酪酸・・・を含む皮膚化粧料の老化防止効果が検討された・・・しかしながら、上記の皮膚機能を更新する成分である皮膚賦活剤を単独で配合してなる皮膚化粧料は、いずれも老化防止などの効果は遅効性で・・・充分満足し得るものではなく、改良の余地を残しているのが実情であった。」（段落【０００２】〜【０００４】）
　
［２］特開平８−１２５６７号公報（以下、「刊行物２」という。）
 
［2-1］「【請求項１】 ジイソプロピルアミンジクロロアセテート、γ−アミノ酪酸、γ−アミノ−β−ヒドロキシ酪酸から選ばれる少なくとも一種と、メソ・エリスリトールとを配合することを特徴とする皮膚老化防止化粧料。
【請求項２】  セラミド、グルコシルセラミド、ガラクトシルセラミドから選ばれる少なくとも一種と、メソ・エリスリトールとを配合することを特徴とする皮膚老化防止化粧料。」（特許請求の範囲）
　
［2-2］「しかし、ジイソプロピルアミンジクロロアセテート、γ−アミノ酪酸、γ−アミノ−β−ヒドロキシ酪酸を単独で配合してなる皮膚化粧料は、老化防止等の効果は遅効性で、長時間の連用後に初めて効果が現れるというように、十分満足し得るものではなく、改良の余地を残しているのが実情であった。」
（段落【０００３】）
　
［2-3］「本発明に用いられる、セラミド、グルコシルセラミド、ガラクトシルセラミドも公知物質であり、通常保湿剤として用いられているが、前記メソ・エリスリトールと組み合わせることにより、相乗効果により、いっそうの荒れ肌及び乾燥肌の改善効果を亢進することが判った。」（段落【００１０】）
　
［３］特開平６−３０５９５０号公報（以下、「刊行物３」という。）
　
［3-1］「γ−アミノ−β−ヒドロキシ酪酸及びその塩の群から選ばれる少なくとも一種と、ビタミンＥ及びそのエステル化合物の少なくとも一種とを配合することを特徴とする皮膚老化防止化粧料。」（特許請求の範囲【請求項１】）
　
［3-2］「老化皮膚とは、乾燥して滑らかさのない荒れ肌で、角質細胞剥離現象が認められる皮膚である。・・・γ−アミノ−β−ヒドロキシ酪酸及びその塩が、皮膚の末梢血管拡張作用により皮膚機能を亢進し、老化防止効果を有することを見出し、・・・これらの皮膚機能を亢進する成分である皮膚賦括剤を単独で配合してなる皮膚化粧料は、いずれも老化防止等の効果は遅効性で・・・充分満足し得るものではなく、改良の余地を残しているのが実情であった。」（段落【０００２】〜【０００４】）
　
［４］特開平９−１２４４５６号公報（以下、「刊行物４」という。）
　
［4-1］「 一般式（１）
（構造式略）（１）
(但し、ｎは６〜２６で示される。）および一般式（２）
（構造式略）（２）
(但し、ｎは６〜２６で示される。）で表されるイソ型脂肪酸および／またはアンテイソ型脂肪酸のコレステロールエステル、ならびにスフィンゴ脂質類より選ばれる少なくとも一種を必須成分とすることを特徴とする皮膚化粧料。」（特許請求の範囲）
　
［4-2］「本発明の皮膚化粧料は、皮膚が本来備えている水分保持機能を高進、維持することによって皮膚を健常な状態に改善あるいは修復して、かつ美肌作用を有する優れた皮膚化粧料を提供することが明かである。」（段落【００５３】）　
　
［５］特開平６−２９３６１４号公報（以下、「刊行物５」という。）
　
［5-1］「【請求項１】炭素数１０〜３０のイソ型脂肪酸３０〜４５重量％、炭素数１１〜３１のアンテイソ型脂肪酸３０〜５０重量％、炭素数１０〜３０のノルマル型脂肪酸１０〜３０重量％を含有し、上記イソ型脂肪酸とアンテイソ型脂肪酸との合計が少なくとも６０重量％であり且つヒドロキシ脂肪酸の含有量が１０％未満であるラノリン由来の非ヒドロキシ脂肪酸の、ステロールエステル、糖エステル、２エチルヘキサノールエステル、高級アルコールエステル及び多価アルコールエステルから選ばれるエステル類。
・・・
【請求項３】請求項１に記載の非ヒドロキシ脂肪酸のエステル類を含む化粧料及び外用薬。」（特許請求の範囲）
　
［5-2］「〈ＮＨ〉下式Ｉで表されるイソ型脂肪酸３０〜４５％、下式ＩＩで表されるアンテイソ型脂肪酸３０〜５０％、下式ＩＩＩで表されるノルマル型脂肪酸１０〜３０％を含有し、上記イソ型脂肪酸とアンテイソ型脂肪酸との合計量が少なくとも６０％であり且つヒドロキシ脂肪酸の含有量が１０％未満である。・・・
式Ｉ：イソ型脂肪酸　
　　　　（構造式略）　　　ｎ＝６〜２６        
式II ：アンテイソ脂肪酸
　　　　（構造式略）　　　ｎ＝６〜２６
式III ：ノルマル型脂肪酸
　　　　ＣＨ３−（ＣＨ２）ｎ−ＣＯＯＨ　　ｎ＝８〜２８」（段落【００１７】〜【００２０】）
　
［5-3]「ＮＨのコレステロールエステルは皮膚になじみ易く、しかも皮膚に吸収され易く皮膚上になんらベタツキを残さない。・・・特に、ＮＨは通常のＬＦに見られるような水酸基に起因するラクトンやラクチドの形成がないために、配合されたものは経時的に安定な化粧料を与えることができる。」（段落【００３７】〜【００３９】）
　
［5-4］「本発明化粧料の性能を知る一端として試料Ｓ２４の製品について女性１０人に試用試験を依頼した。試験方法は就寝前に試料を手の甲に塗布し、塗布時の試料の拡張性、皮膚への吸収性及び皮膚表面に残る好ましくない油状の感触の有無等について及び翌日起床時の皮膚表面の滑らかさ、しなやかさやしっとりした潤い等の感触についての感想を調査した結果ほぼ全員が塗布時の皮膚への吸収性がよいため不快な液状感触を残さない点、及び起床時の皮膚表面の感触の良さを認めており、本発明の所期の目的が達成されていることが判った。」（段落【００７５】）
　
［６］特開昭６０−１９９８０９号公報（以下、「刊行物６」という。）
　
［6-1］「ラノリン脂肪酸のステロールエステルからなる化粧料用基剤」（特許請求の範囲）
　
［6-2］「ラノリン脂肪酸は、その大部分がイソ脂肪酸、アンテイソ脂肪酸等の分岐脂肪酸とヒドロキシ脂肪酸からなっており、通常の天然脂肪酸に多く見られるノルマル脂肪酸は非常に少なく、また偶数酸と奇数酸とをほぼ同程度の割合で含有しているものである。本発明では、従来公知のラノリン脂肪酸をそのまま使用できることは勿論であるが、該ラノリン脂肪酸を分別、蒸留等により特定の炭素数範囲に分割したものを使用しても差し支えない・・・ラノリン脂肪酸のうち約１／３がヒドロキシ脂肪酸である」（第２頁左上欄第４〜１４行）
　
［6-3］「ラノリン脂肪酸のステロールエステルを構成する他の一成分であるステロールとしては・・・例えばコレステロール・・・を挙げることができる。」（第２頁右上欄第１２行〜左下欄第２行）
　
［6-4］「本発明の化粧料用基材は、乳化性、抱水性及び保湿性に優れ、皮膚になじみ易く、しかも皮膚に吸収され易く皮膚上になんらベタツキを残さないものである。」（第２頁右下欄第１６行〜第３頁左上欄第１行）
　
４．対比
　刊行物１には、「γ−アミノ−β−ヒドロキシ酪酸及びその塩の少なくとも一種と、セラミド、グルコシルセラミド及びガラクトシルセラミドの少なくとも一種とを含有することを特徴とする皮膚老化防止化粧料」（以下、「刊行物１発明」という。）が記載［1-1］されている。
　そこで、本願発明と刊行物１発明とを対比すると、本願発明における配合成分の選択肢の一つとして、γ−アミノ−β−ヒドロキシ酪酸及びその塩が含まれるから、両者は、「γ−アミノ−β−ヒドロキシ酪酸及びその塩の少なくとも一種を含有する皮膚老化防止化粧料」である点で一致し、前者が、配合成分として、γ−アミノ−β−ヒドロキシ酪酸及びその塩の他に「一般式（１）
（構造式略）（１）
(但し、ｎは６〜３２で示される。）で表されるイソ型脂肪酸のコレステロールエステル及び／又は一般式（２）
（構造式略）（２）
(但し、ｎは６〜３２で示される。）で表されるアンテイソ型脂肪酸のコレステロールエステル」を含有しているのに対して、後者には、該配合成分を含有することが示されていない点で相違する。
　
５．判断
　そこで、上記相違点について検討する。
（i）　刊行物１〜３にも記載（［1-1］［1-2］［2-1］［2-2］［3-1］［3-2］）されているとおり、γ−アミノ−β−ヒドロキシ酪酸は、周知の皮膚賦活剤であって、皮膚老化防止化粧料の配合成分として汎用されているが、その作用は遅効性であるため、必ずしも満足し得るものではなかった。そこで、刊行物１〜３においては、γ−アミノ−β−ヒドロキシ酪酸単独ではなく他の成分と組み合わせて配合することによって、皮膚老化防止化粧料を得る試みがなされている。
(ii)　ところで、皮膚の老化の原因の一つが皮膚の乾燥にあることは、周知であって、皮膚の乾燥を防ぎ潤いを保つことが、皮膚老化を防止するうえで重要であることも当業者によく知られている。事実、皮膚老化防止を目的とする刊行物１発明においては、γ−アミノ−β−ヒドロキシ酪酸と、保湿剤としてよく知られているセラミドを組み合わせて配合し［1-1］、また、刊行物２に記載された皮膚老化防止化粧料においても、γ−アミノ−β−ヒドロキシ酪酸と組み合わせる第三成分としてセラミドを配合することによって、いっそうの荒れ肌及び乾燥肌の改善が得られた旨が記載されている（［2-1］［2-3］）ことから、皮膚老化防止化粧料に保湿剤や湿潤剤を適宜に組み合わせて配合することは、当業者の常套的技術であるものと認められる。
（iii）　次に、刊行物４には、
一般式（１）及び一般式（２）で表されるイソ型脂肪酸および／またはアンテイソ型脂肪酸のコレステロールエステル、ならびにスフィンゴ脂質類より選ばれる少なくとも一種を必須成分とすることを特徴とする皮膚化粧料が記載［4-1］されている。
　該皮膚化粧料は、水分保持機能を高進、維持する作用を有する［4-2］が、表７の比較例３及び比較例７には、スフィンゴ脂質と組み合わせず、一般式（１）及び一般式（２）で表されるイソ型脂肪酸及びアンテイソ型脂肪酸のコレステロールエステルのみを被験成分として含有するスキンクリームの保湿効果試験及び湿潤性の実用テストの結果が示されている。それによると、保湿効果試験については、比較例３では２０人中８人が、比較例７では、２０人中６人が有効と判定され、湿潤性の実用テストでは、比較例３では２０人中８人が、比較例７では２０人中９人が有効と判定されている。
（iv）　また、刊行物５には
式Ｉ：（構造式略）　　　ｎ＝６〜２６  
で表されるイソ型脂肪酸３０〜４５％、
式ＩＩ：（構造式略）　　ｎ＝６〜２６
で表されるアンテイソ型脂肪酸３０〜５０％、
式ＩＩＩ：ＣＨ３−（ＣＨ２）ｎ−ＣＯＯＨ　　ｎ＝８〜２８で表されるノルマル型脂肪酸１０〜３０％を含有し、上記イソ型脂肪酸とアンテイソ型脂肪酸との合計量が少なくとも６０％であり且つヒドロキシ脂肪酸の含有量が１０％未満の非ヒドロキシ脂肪酸類のコレステロールエステルを含む化粧料(［5-1］〜［5-3］)についての試用試験の結果が示されている。該試用試験は、該化粧料を女性１０人の手の甲に塗布して行われ、ほぼ全員が皮膚表面の滑らかさ、しなやかさやしっとりした潤い等の感触の良さを認めている［5-4］。
（v）　さらに、刊行物６には、ラノリン脂肪酸のステロールエステルからなる化粧料用基剤が記載され、該エステルを構成するラノリン脂肪酸は、大部分がイソ脂肪酸、アンテイソ脂肪酸等の分岐脂肪酸とヒドロキシ脂肪酸からなっていて、ヒドロキシ脂肪酸はラノリン脂肪酸のうち約１／３であること、従来公知のラノリン脂肪酸をそのまま使用できることは勿論であるが、該ラノリン脂肪酸を分別、蒸留等により特定の炭素数範囲に分割したものを使用しても差し支えないこと（［6-1］［6-2］）、また、ステロール成分としてはコレステロールが例示されること［6-3］が示されている。
　そして、同刊行物には、この化粧料用基材が乳化性、抱水性及び保湿性に優れる旨記載されている。
(vi）　刊行物４及び刊行物５に記載されたイソ型脂肪酸および／またはアンテイソ型脂肪酸のコレステロールエステルは、本願発明のイソ型脂肪酸のコレステロールエステルおよび／またはアンテイソ型脂肪酸のコレステロールエステル（ｎ＝６〜２６の範囲において）に相当するところ、刊行物４〜６の前記記載を勘案すれば、該イソ型脂肪酸のコレステロールエステルおよび／またはアンテイソ型脂肪酸のコレステロールエステルが保湿作用や湿潤作用を有することが、本願出願前に既に知られていたことは明らかである。
(vii）そうすると、刊行物１発明の「γ−アミノ−β−ヒドロキシ酪酸及びその塩の少なくとも一種を含有する皮膚老化防止化粧料」において、更に保湿剤または湿潤剤として、既知の保湿剤である「一般式（１）
（構造式略）（１）
(但し、ｎは６〜２６で示される。）で表されるイソ型脂肪酸のコレステロールエステル及び／又は一般式（２）
（構造式略）（２）
(但し、ｎは６〜２６で示される。）で表されるアンテイソ型脂肪酸のコレステロールエステル」を配合することは、当業者が格別の創意工夫を要さずになし得たものと認められる。
(viii）　審判請求人は、本願明細書中に記載された実施例及び比較例の結果を示して、本願発明は、保湿性が格段に向上しており、格別顕著な効果を奏していると主張しているが、
「一般式（１）
（構造式略）（１）
(但し、ｎは６〜２６で示される。）で表されるイソ型脂肪酸のコレステロールエステル及び／又は一般式（２）
（構造式略）（２） 
(但し、ｎは６〜２６）で表されるアンテイソ型脂肪酸のコレステロールエステル」
が、保湿剤または湿潤剤として知られていることは前記のとおりであるから、上記成分を配合することによって、保湿性が向上することは十分に予想可能であり、格別顕著な効果とは認められない。よって、出願人の主張は採用できない。
　
６．以上のとおりであるから、本願発明は、刊行物１〜６に記載された発明に基づいて、当業者が容易に発明することができたものであって、特許法第２９条第２項の規定により特許を受けることができない。
　よって、結論のとおり審決する。